(57)【要約】【課題】広域ネットワーク接続サービスとローカルサービスとを安価な構成で提供でき、かつ、自動選択機能を備える移動局に対してもローカルサービスの利用機会を増やすことの可能な技術を提供する。【解決手段】基地局３は、広域ネットワークＷへの接続を可能とする広域ネットワーク接続サービスと、広域ネットワークＷからはアクセスできないローカルサーバ２への接続を可能とするローカルサービスとを提供する。移動局４が広域ネットワーク接続サービスを利用していると、センタ１から基地局３のローカルサービス情報が通知される。ローカルサービス情報には、ローカルサービスのＥＳＳ−ＩＤ、サービスの切り替えに必要な設定情報などが含まれている。移動局４はＥＳＳ−ＩＤにより現在通信中の基地局３がローカルサービスを提供していることを知ると、広域ネットワーク接続サービスからローカルサービスへの切り替えを行う。【選択図】図１
2005086750.tif 000002
【特許請求の範囲】
【請求項１】
広域ネットワークに接続されたセンタと、
広域ネットワークからはアクセスできないローカルサーバと、
広域ネットワークおよびローカルサーバが接続された基地局と、を備え、
基地局は、移動局に対して広域ネットワークへの接続が可能な第１の無線通信サービスとローカルサーバへの接続が可能な第２の無線通信サービスとを提供可能であり、
センタは、第２の無線通信サービスに関する情報を記憶する記憶手段と、第１の無線通信サービスを利用中の移動局に対して第２の無線通信サービスに関する情報を通知する通知手段とを有する
サービス提供システム。
【請求項２】
第２の無線通信サービスに関する情報には、基地局が発信している第２の無線通信サービスの識別情報が含まれる請求項１記載のサービス提供システム。
【請求項３】
第２の無線通信サービスに関する情報には、第２の無線通信サービスへの接続に必要な設定情報が含まれる請求項１または２記載のサービス提供システム。
【請求項４】
センタは、第２の無線通信サービスに関する情報を複数の移動局にマルチキャストする請求項１〜３のうちいずれか１項記載のサービス提供システム。
【請求項５】
センタは、移動局に対し広域ネットワークへの接続サービスを提供するサーバである請求項１〜４のうちいずれか１項記載のサービス提供システム。
【請求項６】
広域ネットワークへの接続を可能とする第１の無線通信サービスと、広域ネットワークからはアクセスできないローカルサーバへの接続を可能とする第２の無線通信サービスとを提供可能な基地局との間で無線通信を行う無線通信手段と、
第１の無線通信サービスを利用中に広域ネットワークを通じて第２の無線通信サービスに関する情報を受信した場合に、その受信した情報に基づいて第２の無線通信サービスに切り替える手段と、
を有する移動局。
【請求項７】
広域ネットワークへの接続を可能とする第１の無線通信サービスと、広域ネットワークからはアクセスできないローカルサーバへの接続を可能とする第２の無線通信サービスとを提供可能な基地局との間で無線通信を行う無線通信手段と、
第１の無線通信サービスを利用中に広域ネットワークを通じて第２の無線通信サービスに関する情報を受信した場合に、その受信した情報に基づいて第２の無線通信サービスへの切り替えをユーザに促す手段と、
を有する移動局。
【請求項８】
請求項６または７記載の移動局を備える車両。
【発明の詳細な説明】
【技術分野】
【０００１】
本発明は、無線通信により広域ネットワークに接続する移動局に対して、地域限定のローカルサービスを案内し提供するための技術に関する。
【背景技術】
【０００２】
無線ＬＡＮ（Local Area Network）の技術を応用した狭域通信は、狭小セルを活かした効率の良い周波数再利用によって、広域ネットワーク（インターネットなど）との高速通信を可能とする。最近では、広域ネットワーク接続サービスを提供する基地局が飲食店やホテルなどの公共の場所に設置されはじめており、一定の集客効果を発揮している。今後は、車載端末のような移動局を対象にしたサービスへの展開も期待されている（特許文献１参照）。
【０００３】
狭域通信の規格としては、ＩＥＥＥ（Institute of Electrical and Electronic Engineers）が策定したＩＥＥＥ８０２．１１が普及している。ＩＥＥＥ８０２．１１では、基地局ないしサービスの識別子としてＥＳＳ−ＩＤ（Extended Service Set ID）が用いられる（非特許文献１参照）。同一のサービス提供者（インターネットサービスプロバイダなど）は同一のＥＳＳ−ＩＤをアナウンスするように設定されていることが一般的であり、移動局はこのＥＳＳ−ＩＤに基づいて電波を選択し、適切なサービス提供者に接続する。
【０００４】
インターネットへの接続方法としては、グローバルアドレスを付与されて直接インターネットに繋がる仕組みや、ＰＰＰｏＥ（Point to Point Protocol over Ethernet）で一旦サービス提供者のセンタに接続し、そこからインターネットに繋がる仕組みなどがある。
【特許文献１】特開２００３−３２７５２号公報
【非特許文献１】Matthew S. Gast, "802.11 Wireless Networks -The Definitive Guide-", O' REILLY, April 2002, pp. 75
【発明の開示】
【発明が解決しようとする課題】
【０００５】
狭域通信の基地局は導入コストが低いため、将来的にはあらゆる場所に数多くの基地局が設置されることになると予想される。そうなると、広域ネットワークへの接続サービスを提供するだけでは、他との差別化を図ることが難しくなり、接続サービスとしての魅力が薄れてしまう。逆に接続コストが安いため、小売業などが店頭に無料でアクセス可能な無線ＬＡＮ基地局を備え、集客を目論む無料サービス形態が考えられる。無線ＬＡＮアクセスが無料で利用できるので来店動機を増やすことができる。
【０００６】
そこで、本発明者らは、一つのエリアにおいて、広域ネットワーク接続サービスと、狭域通信の狭域性と簡便性を活かした地域限定のようなローカルサービスとを組み合わせて提供することを検討している。来店しない限りそのローカルサービスを享受できないとなれば、強い来店動機を産み出すことができると期待される。
【０００７】
しかしながら、ローカルサービスの実現に当たっては次のような課題をクリアする必要がある。
【０００８】
まず、ローカルサービスを提供するネットワークまたはサーバを広域ネットワークから切り離さなければならない。広域ネットワークを経由してどの場所からでもローカルサー
ビスを享受できてしまうと、来店動機に結びつかなくなり、ローカルサービスの本来の目的を達成できないからである。
【０００９】
広域ネットワーク接続サービスとローカルサービスとを切り離す最も単純な方法は、２つの基地局を設置することである。しかしその場合には、設置コストがかさむとともに設置場所の確保の問題も生ずることとなり、好ましくない。
【００１０】
また、同一エリアに２つの基地局を設置したとしても、ローカルサービスが利用されない可能性も大きい。通常、移動局は利用可能なＥＳＳ−ＩＤを予め記憶しており、複数の電波を受信した場合には自動的に適切なサービスを選択するようになっている。特に、車載端末は、ユーザの操作を極力少なくするように設計されており、この種の自動選択機能が徹底されている。そうすると、移動局は既知の広域ネットワーク接続サービスに優先的に接続することとなり、ユーザが手動で切り替えない限りローカルサービスを利用できないのである。
【００１１】
さらに、電波は視覚的に捉えられないため、ユーザはローカルサービスの存在を認識することすらできないこともあり得る。しかも、たとえ看板やポスターなどでローカルサービスの存在をユーザに告知したとしても、無線通信の接続切り替えには専門的な知識と煩雑な切替操作が必要となるため、積極的にローカルサービスに切り替えるユーザは少ないと懸念される。
【００１２】
本発明は上記実情に鑑みてなされたものであって、その目的とするところは、広域ネットワーク接続サービスとローカルサービスとを安価な構成で提供でき、かつ、自動選択機能を備える移動局に対してもローカルサービスの利用機会を増やすことの可能な技術を提供することにある。
【課題を解決するための手段】
【００１３】
上記目的を達成するために、本発明のサービス提供システムは、広域ネットワークに接続されたセンタと、広域ネットワーク側からはアクセスできないローカルサーバと、広域ネットワークおよびローカルサーバが接続された基地局と、を備える。この基地局は、移動局に対して広域ネットワークへの接続が可能な第１の無線通信サービス（以下、「広域ネットワーク接続サービス」という。）とローカルサーバへの接続が可能な第２の無線通信サービス（以下、「ローカルサービス」という。）とを提供可能である。そして、センタは、ローカルサービスに関する情報（以下、「ローカルサービス情報」という。）を記憶する記憶手段と、広域ネットワーク接続サービスを利用中の移動局に対してローカルサービスに関する情報を通知する通知手段とを有する。
【００１４】
ここでサービス提供システムは、ローカルサーバおよび基地局を複数備えているとよい。この場合、センタの記憶手段にはそれぞれの基地局／ローカルサーバが提供するローカルサービス情報が記憶されることになる。
【００１５】
移動局は、サービス提供システムの基地局との間で無線通信を行う無線通信手段を有しており、広域ネットワーク接続サービスとローカルサービスとを選択的に、または、同時に利用可能である。
【００１６】
移動局が広域ネットワーク接続サービスを利用していると、広域ネットワークを通じてセンタから或る基地局のローカルサービス情報が通知されてくる。移動局は、センタから通知されたローカルサービスと一致するものが通信中の基地局からの受信電波に含まれているか否かを調べることで、現在位置で享受可能なローカルサービスの有無を確認できる。したがって、移動局は、自動選択機能によって優先的に広域ネットワーク接続サービス
に接続した場合であっても、ローカルサービスの存在を知ることができる。
【００１７】
そしてローカルサービスが存在する場合には、移動局はセンタから受信したローカルサービス情報に基づいてローカルサービスに自動的に切り替えたり、あるいは、ローカルサービスへの切り替えをユーザに促したりすればよい。これにより、ローカルサービスの利用機会を増やすことができる。
【００１８】
本発明ではローカルサーバにローカルアドレスを用いることにより広域ネットワークとローカルサーバ（のネットワーク）とが論理的に切り離される。ここで、ローカルアドレスとはＩＥＴＦ（Internet Engineering Task Force）  ＲＦＣ（Request For Comment）１９１８で定義されたプライベートアドレスでもよいし、広域ネットワークからはアクセス不可能な特殊なグローバルアドレスでもよい。ＩＰｖ６（Internet Protocol version 6）の場合はリンクローカルアドレスでもよい。このようなローカルアドレスを用いることにより広域ネットワークを通じてローカルサーバにアクセスすることが防止され、ローカルサービスの狭域性を担保することができる。しかも、一つの基地局で広域ネットワーク接続サービスとローカルサービスとを混在して提供可能となり、構成の簡易化と設置コストの低減を図ることができる。
【００１９】
ここで、ローカルサービス情報には、そのローカルサービスを提供する基地局が発信しているローカルサービスの識別情報が含まれているとよい。典型的には、識別情報としてＥＳＳ−ＩＤを用いることができる。これにより、移動局はセンタから通知された識別情報と現在通信中の基地局からの受信電波に含まれる識別情報とを比較する簡単な処理で、利用可能なローカルサービスの有無を判断することができる。
【００２０】
また、ローカルサービス情報には、ローカルサービスへの接続（切り替え）に必要な設定情報が含まれていることも好ましい。これにより、広域ネットワーク接続サービスからローカルサービスへの接続切り替えが容易になり、専門的な知識や煩雑な切替操作が不要となる。設定情報としては、無線チャンネル、ＷＥＰキーなどのパスワード、通信プロトコル、ローカルサーバのＭＡＣアドレスやネットワークアドレスなどが想定される。
【００２１】
また、センタが、ローカルサービス情報を複数の移動局にマルチキャストすることも好ましい。これにより、センタに対して能動的にアクセスにいかなくても、移動局はローカルサービス情報を得ることができる。
【００２２】
また、センタが、移動局に対し広域ネットワークへの接続サービスを提供するサーバであることも好適である。これにより、移動局は必ずセンタを介して広域ネットワークに接続することとなり、センタはローカルサービス情報を通知すべき移動局を容易に把握できるようになる。
【００２３】
なお、本発明は、上記手段の少なくとも一部を有するサービス提供システムとして捉えることができる。また、本発明は、かかるサービス提供システムのサービスを利用する移動局、もしくは、その移動局を備える車両として捉えることもできる。また、本発明は、上記処理の少なくとも一部を含むサービス提供方法もしくはサービス利用方法として捉えることもできる。なお、上記手段および処理の各々は可能な限り互いに組み合わせて本発明を構成することができる。
【発明の効果】
【００２４】
以上述べた本発明によれば、広域ネットワーク接続サービスとローカルサービスとを安価な構成で提供でき、かつ、自動選択機能を備える移動局に対してもローカルサービスの利用機会を増やすことができる。
【発明を実施するための最良の形態】
【００２５】
以下に図面を参照して、この発明の好適な実施の形態を例示的に詳しく説明する。ここでは車両に設置された車載端末を例にとり説明するが、本発明に係る移動局としては車載端末に限られず、携帯型パソコンやＰＤＡ（情報携帯端末）など無線通信機能を具備した種々のコンピュータが想定される。
【００２６】
図１は、本発明の一実施形態に係るサービス提供システムおよび移動局の構成を示している。
【００２７】
（サービス提供システムの構成）
サービス提供システムは、概略、インターネットなどの広域ネットワークＷに接続されたセンタ１と、コンビニエンスストアなどの店舗Ｌに設置されるローカルサーバ２および基地局３とを備えて構成される。サービス提供システムは、基地局３の通信エリア（たとえば店舗Ｌの駐車場）に存在する移動局４に対して種々のネットワークサービスを提供する。
【００２８】
センタ１は、インターネットサービスプロバイダなどのサービス提供者が設置するコンピュータシステムであり、移動局４に対し広域ネットワークＷへの接続サービスを提供するサーバである。一方、ローカルサーバ２は、店舗Ｌの事業者が個別に設置するサーバであり、基地局３の通信エリア内だけで利用可能な地域限定のローカルサービスを提供する装置である。
【００２９】
センタ１とローカルサーバ２はそれぞれ基地局３の備えるネットワーク機器３０に接続されている。センタ１とネットワーク機器３０の間はＡＤＳＬ（Asymmetric Digital Subscriber Line）や専用線などの広帯域回線で接続され、高速な広域ネットワーク接続が可能である。ローカルサーバ２とネットワーク機器３０との間は有線または無線によって接続される。
【００３０】
基地局３はＩＥＥＥ８０２．１１規格に準拠した無線基地局である。この基地局３は、通信エリア内の移動局４に対して、センタ１を介した広域ネットワークＷへの接続が可能な広域ネットワーク接続サービスと、ローカルサーバ２への接続が可能なローカルサービスとを提供可能である。広域ネットワーク接続サービスとローカルサービスには、それぞれ異なるＥＳＳ−ＩＤが割り当てられている。本実施形態では、広域ネットワーク接続サービスに「WNET」、ローカルサービスに「LNET1」が割り当てられているものとする。
【００３１】
ネットワーク機器３０は、たとえばレイヤー２スイッチ、ルータ、モデムなどで構成されるものであり、グローバルアドレスを用いた広域ネットワークＷと店舗Ｌ内でのみ有効なローカルアドレスを用いたローカルエリアネットワークとを切り分けるために設けられている。
【００３２】
ローカルサーバ２にはローカルアドレスが割り当てられ、広域ネットワークＷ側からのアクセスはできないようになっている。ただし、ローカルサーバ２側からは、ネットワーク機器３０のＮＡＴ（Network Address Translation）機能を利用することでセンタ１や広域ネットワークＷにアクセス可能である。
【００３３】
ローカルサーバ２が提供するローカルサービスとしては、店舗Ｌで利用可能な電子クーポンや電子割引券の提供、店舗Ｌの商品情報や価格情報の提供、店舗Ｌ周辺の地域情報の提供などが考えられる。たとえば、１０個の電子クーポンを収集すれば商品をプレゼントするといったサービスを実施したり、その場所でしか得られないユニークな情報を配信し
たりすれば、他店との差別化を図れ、有利な集客効果を奏することができる。
【００３４】
ローカルサーバ２は定期的または必要に応じて、ローカルサービスのＥＳＳ−ＩＤ「LNET1」、ローカルサービスへの接続切り替えに必要な設定情報、サービス内容などのローカルサービス情報をセンタ１に送信する。この設定情報には、無線チャンネルやＷＥＰキーなどのパスワードが含まれる。また必要に応じて、通信プロトコル、ローカルサーバ２のＭＡＣアドレスやネットワークアドレスなどが含まれることもある。
【００３５】
センタ１はローカルサービスデータベース（記憶手段）１０を有しており、ローカルサーバ２から受信したローカルサービス情報を記憶し管理している。なお、図１に示すように、本実施形態のセンタ１には複数の店舗が接続されており、センタ１のローカルサービスデータベース１０には各店舗のローカルサービス情報が管理されている。
【００３６】
ここで、各店舗で提供される広域ネットワーク接続サービスのＥＳＳ−ＩＤは共通にすることが好ましい。これにより、移動局４はどの店舗の通信エリアにおいても「WNET」という識別情報を頼りに自動的に広域ネットワークに接続することが可能となる。他方、ローカルサービスのＥＳＳ−ＩＤは店舗毎ないし同一のローカルサービスを提供するグループ店舗毎に異ならせるべきである。
【００３７】
（移動局の構成）
移動局４は車両内に設けられたコンピュータである。移動局４としては、カーナビゲーションシステムと兼用される車載端末や、一時的に車両内に持ち込まれ車内ＬＡＮに接続された携帯パソコン、ＰＤＡ（携帯情報端末）などが想定される。
【００３８】
移動局４は、基地局３との間で無線通信を行う無線ＬＡＮ通信部（無線通信手段）４０を有しており、広域ネットワーク接続サービスとローカルサービスとを選択的に、または、同時に利用可能である。無線ＬＡＮ通信部４０としては、ＩＥＥＥ８０２．１１規格に準拠した通信モジュールなどを用いることができる。
【００３９】
移動局４の記憶装置（不揮発性メモリやハードディスクなど）には、予め利用可能な広域ネットワーク接続サービスに関する情報が格納されている。その情報には、広域ネットワーク接続サービスのＥＳＳ−ＩＤ「WNET」、接続に必要な設定情報などが含まれる。移動局４は「WNET」というＥＳＳ−ＩＤをもつ電波を受信すると、自動的に広域ネットワークへの接続を行う自動選択機能を備えている。これにより、ユーザに操作上の負担をかけることなく、効率的な広域ネットワーク接続を実現できる。
【００４０】
（動作説明）
次に、図２のシーケンス図を参照して、サービス提供システムと移動局それぞれの動作を説明する。なお、センタ１、ローカルサーバ２、移動局４それぞれの処理は、記憶装置に格納されたプログラムがＣＰＵに読み込まれ実行されることにより実現されるものである。
【００４１】
基地局３からは、広域ネットワーク接続サービスのＥＳＳ−ＩＤ「WNET」（接続先はセンタ１）とローカルサービスのＥＳＳ−ＩＤ「LNET1」（接続先はローカルサーバ２）とがアナウンスされている。通信エリアに進入した移動局４は、基地局３からの電波を受信することで両方のＥＳＳ−ＩＤ「WNET」「LNET1」を検知する。この段階では、移動局４のネットワークアドレスは未定である。
【００４２】
移動局４は検知されたＥＳＳ−ＩＤと記憶装置に格納されているＥＳＳ−ＩＤとを比較し、利用可能なサービスが存在するか否か判断する。ここでは「WNET」が既知であるため
、広域ネットワーク接続サービスのＥＳＳ−ＩＤを選択することになる。
【００４３】
移動局４はＩＰ（Internet Protocol）アドレスを取得するために、「WNET」の接続先であるセンタ１に対してＤＨＣＰ（Dynamic Host Configuration Protocol）サーバが存在するかどうかを問い合わせた後（DHCP DISCOVER, DHCP OFFER）、ＤＨＣＰにのっとり要求を出して（DHCP REQUEST）、センタ１からグローバルＩＰアドレスを受け取る（DHCP
ACK）。これにより、移動局４はグローバルＩＰアドレスを用いて広域ネットワークＷに接続し、種々のネットワークサービスを利用可能となる。なお、ＤＨＣＰサーバはセンタ１ではなく、基地局３に設けてもよい。
【００４４】
センタ１は、定期的に又は必要に応じて、ローカルサービスデータベース１０から各店舗のローカルサービス情報を読み出し、それらをマルチキャストする。したがって、センタ１に対して能動的にアクセスにいかなくても、移動局４はローカルサービス情報を得ることができる。なお、移動局４はセンタ１を介して広域ネットワークＷに接続するため、センタ１はローカルサービス情報をマルチキャストすべき範囲を容易に把握可能である。
【００４５】
移動局４はマルチキャストされたローカルサービス情報を受信すると、ローカルサービス情報からＥＳＳ−ＩＤを抽出し、そのＥＳＳ−ＩＤと基地局３からの受信電波に含まれるＥＳＳ−ＩＤとを比較する。両者が一致したときは現在通信中の基地局３で地域限定のローカルサービスが提供されているということになり、相違するときはローカルサービスが存在しないということになる。
【００４６】
移動局４はローカルサービスの存在を検知すると、ローカルサービス情報から設定情報およびサービス内容を抽出する。手動でサービスを切り替える場合には、移動局４は出力装置にサービス内容を出力し、ユーザにローカルサービスへの切り替えを促す。たとえば、「LNET1で電子クーポンを配布しています。サービスを切り替えますか？」といったメッセージや音声案内を出力することが考えられる。一方、自動切替が設定されている場合には、移動局４は自動的にローカルサービスに切り替える。このときにも「LNET1で電子クーポンを配布していますので、サービスを切り替えます」のような案内を出力すると好ましい。
【００４７】
ローカルサービスへの接続切り替えは次のようにして行う。まず移動局４は使用していたグローバルＩＰアドレスをセンタ１のＤＨＣＰサーバに返却する（DHCP RELEASE）。その後、センタ１との間の無線区間も切断する。
【００４８】
次に、移動局４は設定情報を用いてローカルサービスのＥＳＳ−ＩＤ「LNET1」を選択する。そして、移動局４はＩＰアドレスを取得するために、「LNET1」の接続先であるローカルサーバ２に対してＤＨＣＰサーバが存在するかどうかを問い合わせた後（DHCP DISCOVER, DHCP OFFER）、ＤＨＣＰにのっとり要求を出して（DHCP REQUEST）、ローカルサーバ２からローカルＩＰアドレスを受け取る（DHCP ACK）。これにより、移動局４はローカルＩＰアドレスを用いてローカルサーバ２に接続し、ローカルサービス（電子クーポンの受信など）を利用可能となる。なお、ＤＨＣＰサーバはローカルサーバ２ではなく、基地局３に設けてもよい。
【００４９】
ローカルサービスの内容にもよるが、電子クーポンの配布など短時間でサービスが完了するような場合には、サービスが終り次第自動的に広域ネットワーク接続サービスに切り替えるようにしてもよい。
【００５０】
以上述べた本実施形態によれば、移動局４は、自動選択機能によって優先的に広域ネットワーク接続サービスに接続した場合であっても、センタ１から通知を受けることにより
ローカルサービスの存在を検知することができる。よって、ローカルサービスの利用機会を増やすことができ、集客効果を高めることが可能となる。
【００５１】
また、ローカルサーバ２にローカルＩＰアドレスを用いたことによって、広域ネットワークＷとローカルサーバ２（のネットワーク）とが論理的に切り離される。したがって、広域ネットワークＷを通じてローカルサーバ２にアクセスすることが防止されるので、店舗Ｌに来店しなければサービスを受けられないことになり、ローカルサービスの特色である狭域性を担保することができる。
【００５２】
しかも、一つの基地局３で広域ネットワーク接続サービスとローカルサービスとを混在して提供可能となり、構成の簡易化と設置コストの低減を図ることができる。
【００５３】
また、本実施形態ではローカルサービス情報にローカルサービスのＥＳＳ−ＩＤを含めたので、移動局４はセンタ１から通知されたＥＳＳ−ＩＤと現在通信中の基地局３からの受信電波に含まれるＥＳＳ−ＩＤとを比較するだけの簡単な処理で、利用可能なローカルサービスの有無を判断することができる。
【００５４】
また、ローカルサービス情報に設定情報を含めたので、広域ネットワーク接続サービスからローカルサービスへの接続切り替えが容易になり、無線通信に関する専門的な知識や煩雑な切替操作が不要となる。
【００５５】
以上、本発明の一具体例を例示したが、本発明の範囲は上記実施形態に限られるものではなく、その技術思想の範囲内で種々の変形が可能である。
【００５６】
たとえば、本発明は、移動局とセンタとがＰＰＰｏＥなどのＰＰＰ接続を行う場合により好ましく適用できる。ＰＰＰ接続の場合には基地局を透過して移動局とセンタが直接結ばれるため、たとえ移動局とローカルサーバとが同一のセグメントに存在する場合でも、移動局はセンタと接続している限りローカルサーバと通信することができない。しかし、本発明によれば、移動局はＰＰＰ接続先のセンタからの通知により、ローカルサービスへの切り替えの契機を与えられるので、ローカルサービスの利用機会を増やすことができるのである。
【００５７】
また、本発明はＩＰに限らず他の通信プロトコルにも適用可能であるし、また、ＩＥＥＥ８０２．１１規格に限らず他の無線通信方式にも適用可能である。
【００５８】
また、上記実施形態の移動局は広域ネットワーク接続サービスとのセッションを切断し、ローカルサービスに切り替えを行っているが、単一の無線ＬＡＮ通信部を用いて同時に複数のセグメントでの通信を確立することも可能であり、その場合には広域ネットワークとの接続とローカルサーバとの接続とを両立することができる。
【００５９】
また、上記実施形態ではセンタを介して広域ネットワークに接続する例を示したが、移動局がセンタ以外のサーバを介して広域ネットワークに接続する態様も想定される。この場合には、移動局は広域ネットワークを介してセンタと通信を行うことになる。
【００６０】
また、上記実施形態では広域ネットワーク接続サービスのＥＳＳ−ＩＤとローカルサービスのＥＳＳ−ＩＤとを異ならせているが、両サービスが１つのＥＳＳ−ＩＤを共用することも可能である。たとえば、３２ｂｙｔｅのＥＳＳ−ＩＤの中の一部分を広域ネットワーク接続サービスの識別用に割り当て、残りの部分をローカルサービスの識別用に割り当てるようにするなどの方法が考えられる。
【００６１】
また、センタはローカルサービス情報をマルチキャストするのではなく、移動局のアドレスを指定して直接通知してもよい。
【図面の簡単な説明】
【００６２】
【図１】サービス提供システムおよび移動局の構成を示す図である。
【図２】サービス提供システムおよび移動局の動作を示すシーケンス図である。
【符号の説明】
【００６３】
１  センタ
２  ローカルサーバ
３  基地局
４  移動局
１０  ローカルサービスデータベース
３０  ネットワーク機器
４０  無線ＬＡＮ通信部
Ｌ  店舗
Ｗ  広域ネットワーク
【図１】
2005086750.tif 000003
【図２】
2005086750.tif 000004